(57)【特許請求の範囲】
【請求項１】
圃場を作溝する播種作溝器（８１…）と、該播種作溝器（８１…）により作溝した部分に種子を吐出する播種部（７６…）と、該播種部（７６…）により吐出した種子の上方に覆土する播種覆土器（８３…）とを備える播種装置（４）を設けた播種機において、圃場を作溝する施肥作溝器（５０…）と、該施肥作溝器（５０…）により作溝した部分に肥料を吐出する施肥部（４７…）と、該施肥部（４７…）により吐出した肥料の上方に覆土する施肥覆土器（５１…）とを備える施肥装置（１）を設け、接地して圃場面に対して所定の高さに維持される接地体（３１，３２，３２）を設け、前記施肥作溝器（５０…）、施肥部（４７…）及び施肥覆土器（５１…）を前記接地体（３１，３２，３２）に取り付けて設け、前記播種作溝器（８１…）、前記播種部（７６…）及び前記播種覆土器（８３…）を一体で前記接地体（３１，３２，３２）に対して着脱可能に設け、接地体（３１，３２，３２）の左右に設けた播種覆土器（８３…）を各々の覆土調節アーム（８５）と一体で上下方向の覆土調節軸（８４）回りに回動する構成とし、左右の前記覆土調節アーム（８５）を共通の覆土調節ワイヤ（８６）により回動させて播種覆土器（８３…）を回動調節可能に構成したことを特徴とする播種機。
【発明の詳細な説明】
【０００１】
【発明の属する技術分野】
この発明は、圃場に播種する播種機に関するものである。
【０００２】
【従来の技術】
従来、圃場を作溝する作溝器と該作溝器により作溝した部分に種子である種籾を吐出する播種部と該播種部により吐出した種子の上方に覆土する覆土器とを備える播種装置を機体の後部に設け、圃場に種籾を播種するようにした水稲用の播種機がある。また、前記水稲用の播種機において、機体に前記播種装置を着脱可能に構成し、機体から該播種装置を取り外して機体に備える苗移植装置を作動することにより苗移植作業をも可能にした構成のものがある。
【０００３】
【発明が解決しようとする課題】
上記構成の播種機において、圃場面の凹凸により、作溝器の圃場に対する高さが変化すると圃場の作溝深さが変化し上記播種部から吐出して供給される種子の圃場面に対する高さが変化したり、前記播種部の圃場に対する高さが変化すると前記作溝器による圃場の作溝部分に対して前記播種部からの種子の吐出力が変化し前記播種部から吐出して供給される種子の高さが前記作溝部分に対して変化したり、覆土器の圃場に対する高さが変化すると播種部から吐出した種子の上方への覆土量が変化したりして、播種深さが変化する。
【０００４】
そこで、接地して圃場面に対して所定の高さに維持される接地体を設けると共に該接地体に前記作溝器、前記播種部及び前記覆土器をそれぞれ別個に取り付けると、例えば機体を播種以外の他の用途で使用するとき等機体から播種装置を取り外すときに、前記作溝器、前記播種部及び前記覆土器を前記接地体から取り外すにあたりそれぞれ別個に取り外さなければならず、この取り外しにおけるメンテナンス性が悪くなる。
【０００５】
【課題を解決するための手段】
この発明は、上記課題を顧みて、次の技術的手段を講じた。
すなわち、圃場を作溝する播種作溝器（８１…）と、該播種作溝器（８１…）により作溝した部分に種子を吐出する播種部（７６…）と、該播種部（７６…）により吐出した種子の上方に覆土する播種覆土器（８３…）とを備える播種装置（４）を設けた播種機において、圃場を作溝する施肥作溝器（５０…）と、該施肥作溝器（５０…）により作溝した部分に肥料を吐出する施肥部（４７…）と、該施肥部（４７…）により吐出した肥料の上方に覆土する施肥覆土器（５１…）とを備える施肥装置（１）を設け、接地して圃場面に対して所定の高さに維持される接地体（３１，３２，３２）を設け、前記施肥作溝器（５０…）、施肥部（４７…）及び施肥覆土器（５１…）を前記接地体（３１，３２，３２）に取り付けて設け、前記播種作溝器（８１…）、前記播種部（７６…）及び前記播種覆土器（８３…）を一体で前記接地体（３１，３２，３２）に対して着脱可能に設け、接地体（３１，３２，３２）の左右に設けた播種覆土器（８３…）を各々の覆土調節アーム（８５）と一体で上下方向の覆土調節軸（８４）回りに回動する構成とし、左右の前記覆土調節アーム（８５）を共通の覆土調節ワイヤ（８６）により回動させて播種覆土器（８３…）を回動調節可能に構成したことを特徴とする播種機とした。
【０００６】
【発明の効果】
本発明の播種機は、上記播種作溝器、上記播種部及び上記播種覆土器を接地して圃場面に対して所定の高さに維持される接地体に取り付けているので、圃場面の凹凸に拘らず播種深さを安定させることができる。また、前記播種作溝器、前記播種部及び前記播種覆土器を一体で前記接地体に着脱可能に設けたので、前記播種作溝器、前記播種部及び前記播種覆土器の前記接地体からの着脱におけるメンテナンス性が向上すると共に、この播種機で施肥作業のみを行うとき、播種作溝器、播種部及び播種覆土器を取り外した状態で前記接地体を使用することができ、前記播種作溝器、播種部及び播種覆土器で不必要に水田内に泥流又は水流を発生させて作業に悪影響を及ぼすことがない。また、左右の前記覆土調節アーム（８５）を共通の覆土調節ワイヤ（８６）により回動させて左右の播種覆土器（８３…）を同時に回動させることができる。
【０００７】
【発明の実施の形態】
この発明の実施の一形態を図面に基づき説明する。
図１は、水田に直接種籾を播種する播種機に粒状の肥料の施肥を行う施肥装置１が装着された施肥播種機２を示している。この施肥播種機２は、主として走行車体３と６条分の施肥装置１及び播種装置４とで構成される。
【０００８】
走行車体３の前後左右略中央に駆動源であるエンジン５を備え、このエンジン５からの動力によりエンジン出力ベルト６を介して２連プ−リ７と一体回転する中継軸８を駆動する。この中継軸８には油圧ポンプ９を設けており、この油圧ポンプ９はエンジン５の駆動に伴って駆動するようになっている。また、前記２連プ−リ７の他側となる駆動プ−リ７ａから伝動ベルト１０を介して主ミッションケ−ス１１の入力軸１１ａと一体回転する従動プ−リ１２を駆動することにより、主ミッションケ−ス１１内に動力を伝達する構成となっている。尚、前記駆動プ−リ７ａ及び前記従動プ−リ１２は割りプ−リで構成されて、該駆動プ−リ７ａ、該従動プ−リ１２及び前記伝動ベルト１０はこれらのプ−リ７ａ，１２の割り幅を変更して主ミッションケ−ス１１内への伝動の伝達比を無段変速する無段変速装置１３となっている。そして、主ミッションケ−ス１１内の動力により、該主ミッションケ−ス１１の左右両端部に突出した前輪駆動軸１４ａ，１４ａの駆動で左右の前輪１４，１４を駆動回転すると共に、主ミッションケ−ス１１から左右それぞれの後輪伝動軸１５，１５を介して左右の後輪伝動ケ−ス１６，１６内に伝動し該後輪伝動ケ−ス１６，１６に設けた後輪駆動軸１７ａ，１７ａの駆動で左右の後輪１７，１７を駆動するようになっている。従って、走行車体３は、前記前輪１４，１４及び後輪１７，１７を駆動して走行する構成となっている。また、前記主ミッションケ−ス１１からの動力が、前記エンジン５の右側方を通過するように設けた播種伝動軸１８により播種装置４へ動力を伝達するようになっている。尚、前記播種伝動軸１８の中途部にはクラッチケ−ス１９を設け、該クラッチケ−ス１９により分岐して取り出される動力を施肥装置１へ伝達する構成となっている。尚、前記クラッチケ−ス１９内には、播種装置４及び施肥装置１の駆動の入切を行うクラッチ（図示せず）を設けている。
【０００９】
また、走行車体３には、前記エンジン５の上側に操縦席２０を設け、該操縦席２０の前側にステアリングハンドル２１を設けている。該ステアリングハンドル２１の右側には、前記無段変速装置１３の変速操作を行う副変速レバ−２２を設けている。また、前記ステアリングハンドル２１の左側には主変速レバ−２３を設け、この主変速レバ−２３の操作により主ミッションケ−ス１１内のギヤの噛み合いを切り替えて機体の車速を「路上走行速」、「播種作業速」及び「後進速」に切り替えるようになっている。前記ステアリングハンドル２１の下方の左側には主クラッチペダル２４を設け、この主クラッチペダル２４の踏み込み操作により主ミッションケ−ス１１内の主クラッチ（図示せず）を操作して走行車輪１４，１４，１７，１７、播種装置４及び施肥装置１への伝動を断つようになっている。操縦席２０の右側には、前記クラッチケ−ス１９内のクラッチを操作することで播種装置４及び施肥装置１への伝動の入切が可能な播種・昇降レバ−２５を設けている。
【００１０】
また、この走行車体３の後部には、昇降リンク機構２６が枢支されている。この昇降リンク機構２６は、１本の上リンク２６ａと平面視左右方向において前記上リンク２６ａを挟むように配設された２本の下リンク２６ｂ，２６ｂとで構成される。播種装置４は、前記昇降リンク機構２６の後端部に設けた縦リンク２６ｃを介して走行車体３の後側に装着された構成となっている。前記播種装置４は、油圧ポンプ９からの油圧により作動する油圧昇降シリンダ２７の伸縮により前記昇降リンク機構２６が上下に回動することによって昇降するように設けている。尚、前記播種・昇降レバ−２５の操作により、前記昇降リンク機構２６を回動させて、播種装置４を昇降できるようになっている。
【００１１】
播種装置４は、クラッチケ−ス１９からの動力が入力される播種伝動ケース３０からの動力の伝達により作動する構成となっている。また、播種装置４の下方には中央部にセンタ−フロ−ト３１及び両側部にサイドフロ−ト３２，３２を設けており、これらのフロート３１，３２，３２が播種作業時に圃場面を滑走するようになっている。前記フロ−ト３１，３２，３２は、昇降リンク機構２６の縦リンク２６ｃに対してロ−リング軸３３回りに左右にロ−リングする左右フレ−ム３４からそれぞれ後方に延びる左右のフロ−ト支持プレ−ト３５，３５…を介して設けられ、該フロ−ト支持プレ−ト３５，３５…の後端部に前記フロ−ト３１，３２，３２の左右にそれぞれ固着したフロ−ト取付プレ−ト３６，３６…に備える左右方向の回動軸３７，３７…回りに回動自在に支持され、前後傾斜姿勢を変更可能に設けられている。播種装置４による播種作業を行うべく前記播種・昇降レバ−２５により播種装置４を下降させて前記フロ−ト３１，３２，３２を圃場面に接地させ走行車体３を走行させると、前記センタ−フロ−ト３１の前後傾斜姿勢が所定の傾斜姿勢となるよう該フロート３１前部上方の圃場面感知機構３８の作動に基づいて前記昇降リンク機構２６を回動させることにより、播種装置４及び前記フロ−ト３１，３２，３２を昇降制御する構成となっている。
【００１２】
施肥装置１は、粒状の肥料を貯留する肥料ホッパ４０、該肥料ホッパ４０内の肥料を所定量づつ繰り出す各条の肥料繰出部４１…、該肥料繰出部４１…から繰り出される肥料の移送を案内する各条の案内管４２…、該案内管４２…に圧力風を供給する施肥エアチャンバ−４３及び該施肥エアチャンバ−４３に圧力風を供給する施肥用送風機４４を備えて構成される。また、前記施肥用送風機４４は、走行車体３の前部に配置したバッテリ−４５を駆動源として駆動する構成となっている。前記施肥装置１は、前記肥料繰出部４１…から繰り出される肥料を前記案内管４２…に落下供給し、施肥エアチャンバ−４３からの圧力風により前記案内管４２…及び各条の肥料移送管４６…を介して該肥料移送管４６終端に設けた各条の施肥部４７…へ肥料を移送して、圃場に６条分の施肥を行う構成となっている。尚、前記肥料移送管４６…は、フレキシブルなチュ−ブにより構成されている。
【００１３】
施肥エアチャンバ−４３は、左右方向に長い筒状に構成されており、各条の肥料繰出部４１…の前側に設けられている。この施肥エアチャンバ−４３の左端部には前記施肥用送風機４４を取り付けており、該施肥用送風機４４の吐出口４４ａを前記施肥エアチャンバ−４３の左端に設けた構成となっている。尚、施肥エアチャンバ−４３の右端は、閉ざされた構成となっている。また、施肥エアチャンバ−４３の後部には各条の前記案内管４２…に圧力風を供給するための吹出口４３ａ…をそれぞれ設け、この吹出口４３ａ…に前記案内管４２…を取り付けている。
【００１４】
前記施肥部４７は、前記肥料移送管４６とブ−ツ４８により接続され、圃場面を滑走するフロ−ト３１，３２，３２に取付ボルト４９，４９により取り付けられている。前記施肥部４７の前方には、該施肥部４７と一体的に施肥作溝器５０を設けている。前記施肥作溝器５０は、前記フロート３１，３２，３２の底面より下方に突出する突起で構成され、機体の前進に伴って圃場の泥土を左右方向及び下方向に押し分けて作溝する。そして、その作溝された溝内に施肥エアチャンバ−４３からの圧力風により肥料が施肥部４７から吐出して供給されるようになっている。また、施肥部４７の後方にはそれぞれプレートで構成される施肥覆土器５１を設け、この施肥覆土器５１により機体の前進に伴って前記施肥作溝器５０が作った溝を埋めて圃場に施肥された肥料に覆土するようになっている。尚、前記施肥覆土器５１は、前記フロ−ト３１，３２，３２にそれぞれ取り付けられている。
【００１５】
各条の肥料繰出部４１…を構成する繰出部ケ−ス４１ａ…と案内管４２…とは、前記施肥エアチャンバ−４３に溶接された取付台（図示せず）にそれぞれボルトにより取付固定されている。そして、肥料ホッパ４０を前記繰出部ケ−ス４１ａ…に取り付けた構成となっている。尚、前記施肥エアチャンバ−４３は、走行車体３の後部の縦フレ−ム５２，５２に取り付けられている。従って、肥料繰出部４１…は、走行車体３の後部に配置された構成となっている。
【００１６】
各条の肥料繰出部４１…の前側には、作業終了後等に肥料ホッパ４０内の肥料を取り出すための肥料取出口５３…を設けている。この肥料取出口５３…を前記肥料繰出部４１…の前側に設けているので、作業者が走行車体側から肥料ホッパ４０内の肥料の取出作業を容易に行える。
前記肥料繰出部４１…への駆動構成について説明すると、クラッチケ−ス１９からの駆動により回転駆動する施肥駆動ア−ム（図示せず）に連結された施肥駆動ロッド５４が上下動することにより、施肥繰出駆動ア−ム５５を駆動し施肥駆動軸５６に伝動する。尚、該施肥駆動軸５６と前記施肥繰出駆動ア−ム５５との間には一方向クラッチ５７を設け、前記施肥駆動ロッド５４の上動に伴って施肥駆動軸５６が一定方向にしか回動しないようになっている。そして、施肥駆動軸５６には該駆動軸５６と一体回転可能な各２条毎の駆動プ−リ５８，５８，５８を設けている。該プ−リ５８，５８，５８から開度調節軸５９に対して遊転するアイドルプ−リ６０，６０，６０を介したベルト６１，６１，６１の伝動により駆動する従動プ−リ６２，６２，６２と一体回転する各２条毎の繰出軸６３…を駆動し、該繰出軸６３…の駆動により肥料繰出部４１…へ伝動し、該肥料繰出部４１…が繰出作動する構成となっている。
【００１７】
また、施肥エアチャンバー４３の右端の近傍には開度調節ハンドル６４を設け、この開度調節ハンドル６４を回動操作することにより前記開度調節軸５９を回動し該軸５９と一体回転する各条の開度調節用駆動歯車６５…を介してそれぞれ各条の肥料繰出部４１…に設けた開度調節用従動歯車６６…を回転して、前記各条の肥料繰出部４１…の肥料の繰出量を同時に調節するようになっている。尚、施肥エアチャンバ−４３の右端には前記開度調節ハンドル６４を係止する係止具６７を設け、該係止具６７に開度調節ハンドル６４を係止することで繰出軸６３…の駆動により開度調節軸５９が回動しないようにして、作業中に肥料の繰出量が変化しないように構成している。
【００１８】
播種装置４は、種子を貯留する種子ホッパ７０、該種子ホッパ７０内の種子を所定量づつ繰り出す各条の種子繰出部７１…、該種子繰出部７１…から繰り出される種子の移送を案内する各条の案内管７２…、該案内管７２…に圧力風を供給する播種エアチャンバ−７３及び該播種エアチャンバ−７３に圧力風を供給する播種用送風機７４を備えて構成される。また、前記播種用送風機７４は、走行車体３の前部に配置したバッテリ−４５を駆動源として駆動する構成となっている。前記播種装置４は、施肥装置１と同様に前記種子繰出部７１…から繰り出される種子を前記案内管７２…に落下供給し、播種エアチャンバ−７３からの圧力風により前記案内管７２…及び各条の種子移送管７５…を介して該種子移送管７５…終端に設けた各条の播種部７６…へ種子を搬送して、圃場に６条分の播種を行う構成となっている。尚、前記種子移送管７５…は、フレキシブルなチュ−ブにより構成されている。
【００１９】
播種エアチャンバ−７３は、施肥エアチャンバ−４３と同様に左右方向に長い筒状に構成されており、各条の種子繰出部７１…の後側に設けられている。播種エアチャンバ−７３の右端部には前記播種用送風機７４を取り付けており、該送風機７４の吐出口７４ａを前記施肥エアチャンバ−４３の右端に設けた構成となっている。尚、この播種エアチャンバ−７３の左端は、閉ざされた構成となっている。播種エアチャンバ−７３の後部には各条の前記案内管７２…に圧力風を供給するための吹出口７３ａ…をそれぞれ設け、この吹出口７３ａ…に前記案内管７２…を取り付けている。
【００２０】
尚、以上説明した播種装置の種子ホッパ７０、種子繰出部７１…、案内管７２…、播種エアチャンバ−７３及び播種用送風機７４は、それぞれ施肥装置１の肥料ホッパ４０、肥料繰出部４１…、案内管４２…、施肥エアチャンバ−４３及び施肥用送風機４４と同一のものとなっており、施肥装置１のものに対して前後左右を逆に配置した構成となっている。
【００２１】
従って、各条の種子繰出部７１…の後側には、作業終了後等に種子ホッパ７０内の種子を取り出すための種子取出口７７…を設けている。この種子取出口７７…を前記種子繰出部７１…の後側に設けているので、圃場内で機体の後部を畦に接近させた状態で作業者が前記種子ホッパ７０内の種子の取出作業を容易に行える。
【００２２】
前記播種部７６は、前記種子移送管７５とブ−ツ７８により接続され、播種部取付ユニット７９に取り付けられている。前記播種部取付ユニット７９は、圃場面を滑走するフロ−ト３１，３２，３２に固着したフロ−ト取付プレ−ト３６…にそれぞれ２本の取付ボルト８０，８０により固着され、前記フロ−ト３１，３２，３２と一体的に設けられている。前記播種部７６の前方には、該播種部７６と一体的に播種作溝器８１を設けている。前記播種作溝器８１は、前記フロート３１，３２，３２の底面より下方に突出する突起で構成され、機体の前進に伴って圃場の泥土を左右方向及び下方向に押し分けて作溝する。尚、播種部取付ユニット７９の前記播種作溝器８１より前側の底面は、予め播種する部分の圃場面を均平に整地する播種整地部８２となっている。そして、前記播種作溝器８１で作溝された溝内に播種エアチャンバ−７３からの圧力風により種子が播種部７６から吐出して供給されるようになっている。また、播種部７６の後方にはそれぞれ播種覆土器８３を前記播種部取付ユニット７９に取り付けて設け、この播種覆土器８３により機体の前進に伴って前記播種作溝器８１が作った溝を埋めて圃場に吐出した種子に覆土するようになっている。前記播種覆土器８３は、左右方向において播種作溝器８１側に傾斜した平面である覆土面８３ａを備え、機体の前進に伴って該覆土面８３ａにより土壌が種子の上方位置まで押されて覆土するようになっている。尚、前記覆土面８３ａの上端は、圃場面より上方に突出するようになっている。
【００２３】
また、前記播種覆土器８３は、前記播種部取付ユニット７９に備える軸受部７９ａに設けた上下方向の覆土調節軸８４の下端部に取り付けられ、該覆土調節軸８４の回動により該軸８４回りに回動調節可能になっている。前記覆土調節軸８４の上端部に設けた覆土調節ア−ム８５の回動により一体的に前記覆土調節軸８４を回動する構成となっており、前記覆土調節ア−ム８５を覆土調節ワイヤ８６により回動操作するようになっている。前記覆土調節ワイヤ８６を引き操作することにより播種覆土器８３の後端を左右方向において播種部７６側へ回動させ、覆土量が多くなるようにできる。尚、前記覆土調節ア−ム８５は、該ア−ム８５の回動軸８４部分に設けたトルクスプリング８７により前記覆土調節ワイヤ８６の引き側と反対側に付勢され、回動位置が決定するようになっている。また、前記覆土調節ワイヤ８６は、基部が左右のフロ−ト支持プレ−ト３５，３５の中途部をつなぐワイヤ取付用パイプ８８に取り付けられている。
【００２４】
前記覆土調節ワイヤ８６，８６，８６は、各フロ−ト３１，３２，３２の左右に設けた播種覆土器８３…を共に回動するべく前記フロ−ト３１，３２，３２の左右の覆土調節ア−ム８５，８５…を同時に操作する構成となっている。従って、各２条ごとに覆土調節ワイヤ８６，８６，８６を設けている。そして、左右フレ−ム３４の左右両端部からそれぞれ前上方に延びる左フレ−ム８９及び右フレ−ム９０の上端をつなぐ上部フレ−ム９１に設けた覆土調節レバ−９２を走行車体３に搭乗するオペレ−タが操作することにより、前記覆土調節ワイヤ８６，８６，８６が操作され６条分の播種覆土器８３…の左右方向の向きを同時に調節して、土壌の硬軟に拘らず適正な覆土量となるように調節するようになっている。
【００２５】
ところで、播種エアチャンバ−７３は、左右フレ−ム３４から後上方に延びる左右の播種装置支持フレ−ム９３，９３に取り付けられている。そして、各条の種子繰出部７１…を構成する繰出部ケ−ス７１ａ…と案内管７２…とが、前記播種エアチャンバ−７３に溶接された取付台（図示せず）にそれぞれボルトにより取付固定されている。尚、種子ホッパ７０が、前記繰出部ケ−ス７１ａ…に取り付けられた構成となっている。従って、種子繰出部７１…は、走行車体３の後方に配置された構成となっている。
【００２６】
種子繰出部７１…への駆動構成について説明すると、播種伝動ケ−ス３０からの駆動により回転駆動する播種駆動ア−ム９４に連結された播種駆動ロッド９５が上下動することにより、播種繰出駆動ア−ム９６を駆動し播種駆動軸９７に伝動する。尚、該播種駆動軸９７と前記播種繰出駆動ア−ム９６との間には一方向クラッチ５７を設け、前記播種駆動ロッド９５の上動に伴って播種駆動軸９７が一定方向にしか回動しないようになっている。そして、播種駆動軸９７には該駆動軸９７と一体回転可能な各２条毎の駆動プ−リ５８，５８，５８を設けている。該プ−リ５８，５８，５８から開度調節軸５９に対して遊転するアイドルプ−リ６０，６０，６０を介したベルト６１，６１，６１の伝動により駆動する従動プ−リ６２，６２，６２と一体回転する各２条毎の繰出軸６３…を駆動し、該繰出軸６３…の駆動により種子繰出部７１…へ伝動し、該種子繰出部７１…が繰出作動する構成となっている。
【００２７】
また、播種エアチャンバー７３の左端の近傍には開度調節ハンドル１０３を設け、この開度調節ハンドル１０３を回動操作することにより前記開度調節軸５９を回動し該軸５９と一体回転する各条の開度調節用駆動歯車６５…を介してそれぞれ各条の種子繰出部７１…に設けた開度調節用従動歯車１０５…を回転して、前記各条の種子繰出部７１…の種子の繰出量を同時に調節するようになっている。尚、施肥エアチャンバ−７３の右端には前記開度調節ハンドル１０３を係止する係止具６７を設け、該係止具６７に開度調節ハンドル１０３を係止することで繰出軸１０２…の駆動により開度調節軸５９が回動しないようにして、作業中に種子の繰出量が変化しないように構成している。
【００２８】
ところで、施肥装置１の施肥部４７は、播種装置４の播種部７６と機体の左右方向において所定量異ならせて配置されている。従って、この施肥播種機２は、圃場内を走行車体３を走行させて播種装置４により６条分の播種を行うと共に、前記播種装置４の播種位置の側方の所定位置に施肥装置１により６条分の施肥を行う構成となっている。
【００２９】
また、上部フレ−ム９１には、各２条毎の施肥及び播種の作動の入切が可能な条クラッチレバ−１０７，１０７，１０７を設けている。すなわち、この条クラッチレバ−１０７，１０７，１０７の操作により、各２条毎の施肥装置１の肥料繰出部４１…及び播種装置４の種子繰出部７１…の繰出の作動を入切できるようになっている。よって、圃場の広さ等により施肥及び播種を６条分同時に行わないときは、必要に応じて各２条毎の条クラッチレバ−１０７，１０７，１０７の操作により肥料繰出部４１…及び種子繰出部７１…の繰出の作動を停止させることができる。
【００３０】
また、この施肥播種機２は、種子より重量の大きい粒状肥料を貯留する施肥装置１の肥料ホッパ４０を播種装置４の種子ホッパ７０より機体前後方向で機体の中央寄りに配置して、機体の前後バランスの向上を図っている。また、種子より使用量の多い粒状肥料を貯留する肥料ホッパ４０が走行車体部分に設けられ、種子ホッパ７０より補給回数が多くなる肥料ホッパ４０への肥料補給が走行車体３から行えるように構成されており、肥料補給の容易化が図られている。また、種子ホッパ７０は、一体に構成されており、圃場内で機体の後部を畦に接近させての前記種子ホッパ７０ヘ種子を補給する作業が６条分一度に行えるようになっている。
【００３１】
以上により、この施肥播種機２は、走行車体３を走行させながら施肥装置１の肥料繰出部４１…、播種装置４の種子繰出部７１…及び施肥用送風機４４、播種用送風機７４を作動させることにより、走行車体３の後方のフロ−ト３１，３２，３２に設けた施肥部４７…から肥料を吐出すると共に前記フロ−ト３１，３２，３２に設けた播種部７６…から種子を吐出し圃場に施肥及び播種を行っていく。
【００３２】
そして、圃場面の凹凸に拘らず、センタ−フロ−ト３１の前後傾斜姿勢が所定の傾斜姿勢となるよう該フロート３１前部上方の圃場面感知機構３８の作動に基づいて前記昇降リンク機構２６を回動させ前記センタ−フロ−ト３１及び左右のサイドフロ−ト３２，３２が圃場面に対して所定の高さに維持されるように接地体である該フロ−ト３１，３２，３２を昇降する。そして、該フロ−ト３１，３２，３２とそれぞれ一体の播種部取付ユニット７９…に播種作溝器８１…を取り付けているので、該播種作溝器８１…の圃場面に対する高さの変化が小さくなり、該播種作溝器８１…による作溝深さが安定する。また、前記播種部取付ユニット７９…に播種部７６…を取り付けているので、該播種部７６…の圃場面に対する高さの変化が小さくなり、播種用送風機７４からの播種部７６…での圧力風の風圧が圃場に対して変動を小さくして種子の供給圧を安定させ、播種部７６…から吐出する種子が土壌内に埋まり過ぎたり圃場に対して浅く供給され過ぎたりすることを抑制し、播種深さが安定する。また、前記播種部取付ユニット７９…に播種覆土器８３…を取り付けているので、該播種覆土器８３…の圃場面に対する高さの変化が小さくなり、覆土量が安定し播種深さが安定する。
【００３３】
また、２本の取付ボルト８０，８０を外し覆土調節ワイヤ８６と覆土調節ア−ム８５との連結を外して前記播種部取付ユニット７９をフロ−ト取付プレ−ト３６から外すことにより、フロ−ト３１，３２，３２から播種作溝器８１…、播種部７６…及び播種覆土器８３…を同時に取り外すことができ、この取り外しにおけるメンテナンス性が良好になる。これにより、この施肥播種機２を施肥作業のみのために使用するときや機体の後部を改造して苗移植装置を装着して施肥作業を行いながら苗移植作業を行うとき等、播種作溝器８１…、播種部７６…及び播種覆土器８３…を取り外した状態で前記フロ−ト３１，３２，３２を使用することができ、前記播種作溝器８１…、前記播種部７６…及び前記播種覆土器８３…で不必要に水田内に泥流又は水流を発生させることにより施肥作業や苗移植作業に悪影響を及ぼすことがない。
【００３４】
また、この施肥播種機２は、走行車体３の後部に設けた施肥エアチャンバ−４３と機体の後端部に設けた播種エアチャンバ−７３とが離れているため、それぞれに圧力風を供給する施肥用送風機４４及び播種用送風機７４をそれぞれの近くに設けた構成としている。また、左右方向において前記施肥用送風機４４と前記播種用送風機７４を機体の左右中央に対して互いに反対側に設けているので、機体の左右重量バランスの向上を図っている。また、播種装置４の種子繰出部７１…の後側に該種子繰出部７１…の左右方向にわたって播種エアチャンバ−７３を設けているので、機体を畦に向かって後進させるとき等に該播種エアチャンバ−７３が畦の障害物から前記種子繰出部７１…を防護する防護フレ−ムを兼ねた構成となっている。
【図面の簡単な説明】
【図１】施肥播種機の側面図
【図２】施肥播種機の平面図
【図３】施肥装置の要部の背面図（又は播種装置の要部の正面図）
【図４】フロ−トを示す平面図
【図５】施肥部を示す側面一部断面図
【図６】播種覆土器を示す背面図
【符号の説明】
１…施肥装置、２…施肥播種機、４…播種装置、３１…センタ−フロ−ト、３２…サイドフロ−ト、４７…施肥部、５０…施肥作溝器、５１…施肥覆土器、７６…播種部、８１…播種作溝器、８３…播種覆土器、８４…覆土調節軸、８５…覆土調節アーム、８６…覆土調節ワイヤ
【図１】
0003807070.tif 000002
【図２】
0003807070.tif 000003
【図３】
0003807070.tif 000004
【図４】
0003807070.tif 000005
【図５】
0003807070.tif 000006
【図６】
0003807070.tif 000007